(57)【要約】【課題】開封口の視認性に優れる上、製函時の成型性を損なうことがないゲーブルトップ型容器およびゲーブルトップ型容器用パネルを提供することを目的とする。【解決手段】ゲーブルトップ型容器１は、筒状胴部２と、底部と、切妻屋根４とを備える。切妻屋根４は、一対の切妻屋根パネル４１と、一対の切妻屋根パネル４１の間に折り込まれる一対の妻壁パネル４２と、これらの上端が接合されて形成されるトップシール４６とで構成される。切妻屋根パネル４１は、筒状胴部２に対して横折線４０に沿って左右方向にそれぞれ折り曲げられている。横折線４０は、水平方向に対して傾斜して延びた横折本線４０１と、横折本線４０１に連なる略水平な直線状の補助線４０２とによって構成される。【選択図】図１
2015074450.tif 000002
【特許請求の範囲】
【請求項１】
筒状胴部と、前記筒状胴部の下端に連接した底部と、前記筒状胴部の上端に連接している切妻屋根とを備え、前記切妻屋根は、第１の方向で互いに対向する一対の妻壁パネルと、前記第１の方向に交差する第２の方向で互いに対向すると共にこの対向間に前記一対の妻壁パネルが折り込まれる一対の切妻屋根パネルと、前記一対の切妻屋根パネルの上端と前記一対の妻壁パネルの上端とが接合されて形成されるトップシールとで構成されるゲーブルトップ型容器であって、
前記一対の妻壁パネルは、第１妻壁パネルと、前記第１妻壁パネルとは異なる大きさを有する第２妻壁パネルとによって構成され、
前記一対の切妻屋根パネルは、前記筒状胴部に対して横折線に沿って前記第２の方向にそれぞれ折り曲げられており、
前記横折線は、水平方向に対して傾斜して延びた横折本線と、前記横折本線に連なる略水平な直線状の補助線とによって構成されることを特徴とするゲーブルトップ型容器。
【請求項２】
請求項１に記載のゲーブルトップ型容器において、
前記補助線が罫線であることを特徴とするゲーブルトップ型容器。
【請求項３】
請求項１に記載のゲーブルトップ型容器において、
前記補助線はハーフカットにより形成されていることを特徴とするゲーブルトップ型容器。
【請求項４】
請求項１から請求項３のいずれかに記載のゲーブルトップ型容器において、
前記横折本線は、前記第１妻壁パネル側から前記第２妻壁パネル側に向かって下方に傾斜しており、
前記補助線は、前記第２妻壁パネル側に設けられていることを特徴とするゲーブルトップ型容器。
【請求項５】
請求項１から請求項４のいずれかに記載のゲーブルトップ型容器において、
前記筒状胴部は、角筒状に組み立てられた四つの胴部パネルで構成され、
前記一対の切妻屋根パネルのうち一方の切妻屋根パネルの前記第２妻壁パネル側に位置する側縁部、および前記一方の切妻屋根パネルの下端に連接している胴部パネルの前記第２妻壁パネル側に位置する側縁部は、前記第２妻壁パネルの側縁部および前記第２妻壁パネルの下端に連接している胴部パネルの側縁部に連なるシールパネルに接合しており、
前記補助線は、前記シールパネルの前記第１の方向の幅以上の長さを有し、前記シールパネルに重ねて設けられていることを特徴とするゲーブルトップ型容器。
【請求項６】
請求項５に記載のゲーブルトップ型容器において、
前記補助線は、前記一対の切妻屋根パネルと胴部パネルとの境界に設けられた横折線の四つの端部のうち少なくとも前記第２妻壁パネル側の二つの端部にそれぞれ設けられていることを特徴とするゲーブルトップ型容器。
【請求項７】
請求項５または請求項６に記載のゲーブルトップ型容器において、
前記シールパネルの前記補助線と重ねられる部分の幅は前記シールパネルの他の部分の幅よりも所定長さにわたって狭く形成されることを特徴とするゲーブルトップ型容器。
【請求項８】
請求項１から請求項７のいずれかに記載のゲーブルトップ型容器を構成するためのゲーブルトップ型容器用パネルであって、
前記ゲーブルトップ型容器の筒状胴部を構成するための四つの胴部パネルと、前記ゲーブルトップ型容器の底部を構成するための四つの底部パネルと、前記ゲーブルトップ型容器の切妻屋根を構成するための第１，２切妻屋根パネルおよび第１，２妻壁パネルと、パネル全体の一方の端縁に連なるシールパネルとを備え、
前記四つの胴部パネルは、胴部縦折線を介して互いに連なり、
前記四つの底部パネルは、前記四つの胴部パネルの下端に底部横折線を介して連接していると共に互いに連なり、
前記第１，２切妻屋根パネルおよび前記第１，２妻壁パネルは、前記四つの胴部パネルの上端に横折線を介して連接しており、前記第１,２切妻屋根パネルは、前記第１妻壁パネルに連なり、前記第２妻壁パネルは前記第２切妻屋根パネルに連なり、
前記第１，２切妻屋根パネルは左右対称であり、
前記第１妻壁パネルは、前記第２妻壁パネルとは異なる大きさを有し、
前記第１，２切妻屋根パネルおよび前記胴部パネル間の横折線は、水平方向に傾斜して延びた横折本線と、前記横折本線に連なる略水平な直線状の補助線とによってそれぞれ構成されることを特徴とするゲーブルトップ型容器用パネル。
【発明の詳細な説明】
【技術分野】
【０００１】
本発明は、牛乳やジュース等の飲料液体を収容するゲーブルトップ型容器およびゲーブルトップ型容器用パネルに関する。
【背景技術】
【０００２】
従来、牛乳カートンに代表される飲料用の紙容器としては、表裏面に熱可塑性樹脂を積層した板紙素材で構成されるゲーブルトップ型容器がある。このゲーブルトップ型容器は、飲料液体が収容される角筒状の筒状胴部と、この筒状胴部の上端に連接していると共に開封部および非開封部を有する切妻屋根とを備える。切妻屋根は、一対の切妻屋根パネルと、この一対の切妻屋根間に水平方向の罫線により内向きに折り込まれた一対の妻壁パネルと、これらの上端を接合して形成されるトップシールとを備える。
【０００３】
このようなゲーブルトップ型容器は、開封部と非開封部とが対称かつ同形状をしている。このため、開封部と非開封部とを判別し難く、開封部ではなく非開封部が誤って開封されてしまう虞がある。そこで、非開封部が誤って開封されるのをなくすため、開封部と非開封部とでトップシールの接合強度を異ならせることが考えられる。つまり、前述したゲーブルトップ型容器は、トップシールの開封部の接着強度を低くして開封し易く構成される一方、トップシールの非開封部の接合強度を高くして開封しにくく構成される。しかし、このような構成でも、開封部と非開封部とを視覚により判別することは難しい。
【０００４】
また、ゲーブルトップ型容器の一つとしての牛乳容器には、トップシールの非開封部にＪＡＳ法（農林物資の規格化及び品質表示の適正化に関する法律（JAS:Japanese Agricultural Standard））に則った切り欠きが設けられる。この切り欠きは、視覚障害者でも、様々な容器の中から牛乳容器を識別可能にすることを目的として牛乳容器だけに設けられる。しかし、この切り欠きは、牛乳以外の飲料容器への使用が禁じられているため、これを牛乳容器以外の様々なゲーブルトップ型容器に採用することはできない。また、この切り欠きに対する健常者の認知度は未だ高いとはいえない。
【０００５】
ところで、特許文献１および特許文献２には、切妻屋根パネルと筒状胴部との境界を成す横折線が水平方向に対して傾斜したゲーブルトップ型容器が記載されている。このようなゲーブルトップ型容器は、横折線が傾斜しているために開封部側と非開封部側とが非対称に形成される。従って、このようなゲーブルトップ型容器では、開封部と非開封部とを視覚により判別することが可能である。
【先行技術文献】
【特許文献】
【０００６】
【特許文献１】特開２０１０−６４５９号公報
【特許文献２】特開２０１０−６４６０号公報
【発明の概要】
【発明が解決しようとする課題】
【０００７】
しかし、特許文献１および特許文献２に記載のゲーブルトップ型容器では、横折線が水平方向に対して傾斜しているため、製函時における切妻屋根パネルの筒状胴部に対する折り曲げが困難である。つまり、飲料充填包装機内において一対の妻壁パネルを治具で押し込んで切妻屋根を形成する際、妻壁パネルを水平方向の罫線に対して押し込むのであるが、妻壁パネルは水平方向に折れようとするため、水平方向に対して傾斜した横折線に沿って無理なく折り曲げるのは難しい。特に、切妻屋根パネルの端部と筒状胴部とで構成される角部では皺等が発生しやすく、成型が困難である。このような製函時の成型性の低下は、容器の生産効率の低下、成型不良による液漏れの原因となる可能性がある。
【０００８】
本発明の目的は、開封口の視認性に優れる上、製函時の成型性を損なうことがないゲーブルトップ型容器およびゲーブルトップ型容器用パネルを提供することにある。
【課題を解決するための手段】
【０００９】
本発明は以下の構成によるものである。
（１）筒状胴部と、前記筒状胴部の下端に連接した底部と、前記筒状胴部の上端に連接している切妻屋根とを備え、前記切妻屋根は、第１の方向で互いに対向する一対の妻壁パネルと、前記第１の方向に交差する第２の方向で互いに対向すると共にこの対向間に前記一対の妻壁パネルが折り込まれる一対の切妻屋根パネルと、前記一対の切妻屋根パネルの上端と前記一対の妻壁パネルの上端とが接合されて形成されるトップシールとで構成されるゲーブルトップ型容器であって、前記一対の妻壁パネルは、第１妻壁パネルと、前記第１妻壁パネルとは異なる大きさを有する第２妻壁パネルとによって構成され、前記一対の切妻屋根パネルは、前記筒状胴部に対して横折線に沿って前記第２の方向にそれぞれ折り曲げられており、前記横折線は、水平方向に対して傾斜して延びた横折本線と、前記横折本線に連なる略水平な直線状の補助線とによって構成されることを特徴とするゲーブルトップ型容器。
（２）上記（１）に記載のゲーブルトップ型容器において、前記補助線が罫線であることを特徴とするゲーブルトップ型容器。
（３）上記（１）に記載のゲーブルトップ型容器において、前記補助線はハーフカットにより形成されていることを特徴とするゲーブルトップ型容器。
（４）上記（１）から（３）のいずれかに記載のゲーブルトップ型容器において、前記横折本線は、前記第１妻壁パネル側から前記第２妻壁パネル側に向かって下方に傾斜しており、前記補助線は、前記第２妻壁パネル側に設けられていることを特徴とするゲーブルトップ型容器。
（５）上記（１）から（４）のいずれかに記載のゲーブルトップ型容器において、前記筒状胴部は、角筒状に組み立てられた四つの胴部パネルで構成され、前記一対の切妻屋根パネルのうち一方の切妻屋根パネルの前記第２妻壁パネル側に位置する側縁部、および前記一方の切妻屋根パネルの下端に連接している胴部パネルの前記第２妻壁パネル側に位置する側縁部は、前記第２妻壁パネルの側縁部および前記第２妻壁パネルの下端に連接している胴部パネルの側縁部に連なるシールパネルに接合しており、前記補助線は、前記シールパネルの前記第１の方向の幅以上の長さを有し、前記シールパネルに重ねて設けられていることを特徴とするゲーブルトップ型容器。
（６）上記（５）に記載のゲーブルトップ型容器において、
前記補助線は、前記一対の切妻屋根パネルと胴部パネルとの境界に設けられた横折線の四つの端部のうち少なくとも前記第２妻壁パネル側の二つの端部にそれぞれ設けられていることを特徴とするゲーブルトップ型容器。
（７）上記（５）または（６）に記載のゲーブルトップ型容器において、前記シールパネルの前記補助線と重ねられる部分の幅は前記シールパネルの他の部分の幅よりも所定長さにわたって狭く形成されることを特徴とするゲーブルトップ型容器。
（８）上記（１）から（７）のいずれかに記載のゲーブルトップ型容器を構成するためのゲーブルトップ型容器用パネルであって、前記ゲーブルトップ型容器の筒状胴部を構成するための四つの胴部パネルと、前記ゲーブルトップ型容器の底部を構成するための四つの底部パネルと、前記ゲーブルトップ型容器の切妻屋根を構成するための第１，２切妻屋根パネルおよび第１，２妻壁パネルと、パネル全体の一方の端縁に連なるシールパネルとを備え、前記四つの胴部パネルは、胴部縦折線を介して互いに連なり、前記四つの底部パネルは、前記四つの胴部パネルの下端に底部横折線を介して連接していると共に互いに連なり、前記第１，２切妻屋根パネルおよび前記第１，２妻壁パネルは、前記四つの胴部パネルの上端に横折線を介して連接しており、前記第１,２切妻屋根パネルは、前記第１妻壁パネルに連なり、前記第２妻壁パネルは前記第２切妻屋根パネルに連なり、前記第１，２切妻屋根パネルは左右対称であり、前記第１妻壁パネルは、前記第２妻壁パネルとは異なる大きさを有し、前記第１，２切妻屋根パネルおよび前記胴部パネル間の横折線は、水平方向に傾斜して延びた横折本線と、前記横折本線に連なる略水平な直線状の補助線とによってそれぞれ構成されることを特徴とするゲーブルトップ型容器用パネル。
【発明の効果】
【００１０】
本発明によれば、開封口の視認性に優れる上、製函時の成型性を損なうことがないゲーブルトップ型容器およびゲーブルトップ型容器用パネルを提供できる。
【図面の簡単な説明】
【００１１】
【図１】本発明の一実施形態を示す説明図。
【図２】本発明の前記実施形態を示す展開図。
【図３】本発明の実施例１を示す斜視図。
【図４】本発明の実施例３を示す斜視図。
【図５】本発明の実施例４を示す斜視図。
【図６】本発明の比較例１を示す斜視図。
【図７】本発明の比較例２を示す斜視図。
【発明を実施するための形態】
【００１２】
本発明のゲーブルトップ型容器は、筒状胴部と、前記筒状胴部の下端に連接した底部と、前記筒状胴部の上端に連接している切妻屋根とを備え、前記切妻屋根は、第１の方向（前後方向）で互いに対向する一対の妻壁パネルと、前記第１の方向に交差する第２の方向（左右方向）で互いに対向すると共にこの対向間に前記一対の妻壁パネルが折り込まれる一対の切妻屋根パネルと、前記一対の切妻屋根パネルの上端と前記一対の妻壁パネルの上端とが接合されて形成されるトップシールとで構成されるゲーブルトップ型容器であって、前記一対の妻壁パネルは、第１妻壁パネルと、前記第１妻壁パネルとは異なる大きさを有する第２妻壁パネルとによって構成され、前記一対の切妻屋根パネルは、前記筒状胴部に対して横折線に沿って前記第２の方向にそれぞれ折り曲げられており、前記横折線は、水平方向に対して傾斜して延びた横折本線と、前記横折本線に連なる略水平な直線状の補助線とによって構成されることを特徴とする。
このような本発明によれば、横折本線が水平方向に対して傾斜して延びているため、第１妻壁パネル側（開封部側）と第２妻壁パネル側（非開封部側）とが非対称となり、開封部の視認性に優れる。その上、略水平な直線状の補助線が設けられているので、製函において妻壁パネルが一対の切妻屋根パネルの間に折り込まれる際、妻壁パネルの折り込みに連動して切妻屋根パネルを、皺等を生じさせずに補助線に沿って無理なく折り曲げることができ、製函時の成型性を損なうことがない。なお、このようなゲーブルトップ型容器は、表裏面に熱可塑性樹脂を積層した板紙素材によって構成される。
【００１３】
本発明の横折線を構成する補助線は、好ましくは、罫線であってもよく、また、ハーフカットにより形成されていてもよい。
このような構成によれば、製函時に切妻屋根パネルを補助線に沿って更に良好に折り曲げることができる。
【００１４】
本発明のゲーブルトップ型容器では、前記横折本線は、前記第１妻壁パネル側から前記第２妻壁パネル側に向かって下方に傾斜しており、前記補助線は、前記第２妻壁パネル側に設けられていることが好ましい。
このような構成によれば、切妻屋根パネルの非開封部側での折り曲げ角度を開封部側よりも小さくでき、より負担の小さい折曲を実現できる。また、開封して注ぎ口を形成した場合に、外観上、横折本線と注ぎ口を形成するために折り返された谷折線とを連続させた形状にでき、注ぎ易いイメージを付与できる。
【００１５】
本発明のゲーブルトップ型容器では、前記筒状胴部は、角筒状に組み立てられた四つの胴部パネルで構成され、前記一対の切妻屋根パネルのうち一方の切妻屋根パネルの前記第２妻壁パネル側に位置する側縁部、および前記一方の切妻屋根パネルの下端に連接している胴部パネルの前記第２妻壁パネル側に位置する側縁部は、前記第２妻壁パネルの側縁部および前記第２妻壁パネルの下端に連接している胴部パネルの側縁部に連なるシールパネルに接合しており、前記補助線は、前記シールパネルの前記第１の方向の幅以上の長さを有し、前記シールパネルに重ねて設けられていることが好ましい。
このような構成によれば、一般にシールパネルと重なる部分の成型性は損なわれるが、このような場合でも、補助線をシールパネルの幅以上の長さをもって形成しておくことで、切妻屋根パネルをこの補助線に沿って無理なく折り曲げることができる。
なお、シールパネルの幅と補助線の長さの比は１：１．２〜１：１．３であるのが好ましい。例えば、横折本線が上に向かって凹状に形成される場合、前記比は１：１．２であるのが好ましい。また、横折本線が上に向かって凸状に形成される場合、前記比は１：１．３であるのが好ましい。さらに、横折本線が水平方向に対して傾斜して直線状に延びる場合、前記比は１：１．２５であるのが好ましい。
【００１６】
本発明のゲーブルトップ型容器では、前記補助線は、前記一対の切妻屋根パネルと胴部パネルとの境界に設けられた横折線の四つの端部のうち少なくとも前記第２妻壁パネル側の二つの端部にそれぞれ設けられていることが好ましい。
このような構成によれば、補助線が横折線の四つの端部のうち少なくとも前記第２妻壁パネル側の二つの端部にそれぞれ設けられているため、製函において妻壁パネルが一対の切妻屋根パネルの間に折り込まれる際、妻壁パネルの折り込みに連動して一対の切妻屋根パネルを、皺等を生じさせずに補助線に沿ってそれぞれ無理なく折り曲げることができる。
【００１７】
本発明のゲーブルトップ型容器では、前記シールパネルの前記補助線と重ねられる部分の幅は前記シールパネルの他の部分の幅よりも所定長さにわたって狭く形成されることが好ましい。
このような構成によれば、シールパネル全体を十分な幅をもって形成できる一方、補助線に沿って折り曲げられる部分の幅が狭く形成されることで当該部分を無理なく折り曲げられる。
【００１８】
本発明のゲーブルトップ型容器用パネルは、前述したゲーブルトップ型容器を構成するためのゲーブルトップ型容器用パネルであって、前記ゲーブルトップ型容器の筒状胴部を構成するための四つの胴部パネルと、前記ゲーブルトップ型容器の底部を構成するための四つの底部パネルと、前記ゲーブルトップ型容器の切妻屋根を構成するための第１，２切妻屋根パネルおよび第１，２妻壁パネルと、パネル全体の一方の端縁に連なるシールパネルとを備え、前記四つの胴部パネルは、胴部縦折線を介して互いに連なり、前記四つの底部パネルは、前記四つの胴部パネルの下端に底部横折線を介して連接していると共に互いに連なり、前記第１，２切妻屋根パネルおよび前記第１，２妻壁パネルは、前記四つの胴部パネルの上端に横折線を介して連接しており、前記第１,２切妻屋根パネルは、前記第１妻壁パネルに連なり、前記第２妻壁パネルは前記第２切妻屋根パネルに連なり、前記第１，２切妻屋根パネルは左右対称であり、前記第１妻壁パネルは、前記第２妻壁パネルとは異なる大きさを有し、前記第１，２切妻屋根パネルおよび前記胴部パネル間の横折線は、水平方向に傾斜して延びた横折本線と、前記横折本線に連なる略水平な直線状の補助線とによってそれぞれ構成されることを特徴とする。
このような本発明によれば、前述したゲーブルトップ型容器と同様の作用効果を発揮できる。
【００１９】
［ゲーブルトップ型容器］
以下、本発明の一実施形態を図面に基づいて説明する。
図１は、本実施形態のゲーブルトップ型容器１を示す説明図である。図２は、ゲーブルトップ型容器１を示す展開図である。図１において、矢印Ｘがゲーブルトップ型容器１の前後方向であり、矢印Ｙが左右方向であり、矢印Ｚが縦方向である。Ｘ，Ｙ，Ｚで示す方向は互いに直交している。
【００２０】
図１、図２において、本実施形態のゲーブルトップ型容器１は、牛乳やジュース等の飲料液体を収容する容器であり、角筒状の筒状胴部２と、筒状胴部２の下端に連接した底部３と、筒状胴部２の上端に連接した切妻屋根４とを備える。筒状胴部２は、所定の収容容積を有する。切妻屋根４は、前後方向の前方側に開封部４Ａを有し、後方側に非開封部４Ｂを有する。ゲーブルトップ型容器１では、開封部４Ａで開封されることで注ぎ口が形成される。なお、ゲーブルトップ型容器１は、表裏面に熱可塑性樹脂を積層した板紙素材で構成され、展開した状態では一枚のパネルとなる。
【００２１】
筒状胴部２は、胴部縦折線２０を介して連なる四つの胴部パネル２１，２２，２３，２４と、胴部パネル２４にシール縦折線２０Ａを介して連なる縦方向に延びたシールパネル２５とを備える。展開した状態において筒状胴部２の一方の端縁側を形成する胴部パネル２１の側縁部２１Ａは、シールパネル２５に対して加熱により接合される。この接合により、胴部パネル２１，２２，２３，２４は、角筒状の筒状胴部２を形成する（図１参照）。
【００２２】
底部３は、図２に示すように、筒状胴部２の下端に底部横折線３０を介してそれぞれ連接した互いに連なった四つの底部パネル３１，３２，３３，３４と、底部パネル３４にシール縦折線３５Ａを介して連なったシールパネル３５とを備える。底部パネル３１，３２，３３，３４は、胴部パネル２１，２２，２３，２４の下端に底部横折線３０を介してそれぞれ連接している。シールパネル３５の上端はシールパネル２５の下端に連接している。底部パネル３２，３４には、谷折線３２Ｃ，３４Ｃが形成されている。底部パネル３１の側縁部３１Ａは、シールパネル３５に対し加熱により接合される。底部パネル３２，３４は、筒状胴部２が角筒状に形成された状態において底部パネル３１，３３間に底部横折線３０により内向きに折り込まれ、谷折線３２Ｃ，３４Ｃに沿って谷折りされることで、底部パネル３１，３３と重ね合わされる。底部パネル３１，３２，３３，３４の重ね合わせ部分全体は互いに加熱によりシールされる。
【００２３】
切妻屋根４は、筒状胴部２の上端に横折線４０（４０Ａ，４０Ｂ）を介してそれぞれ連接した互いに連なった一対の切妻屋根パネル４１，４３および一対の妻壁パネル４２，４４と、妻壁パネル４４にシール縦折線４５Ａを介して連なるシールパネル４５とを備える。切妻屋根パネル４１，４３は、展開した状態において左右対称であり、胴部パネル２１，２３の上端に切妻屋根パネル４１，４３側の横折線４０Ａを介してそれぞれ連接している。シールパネル４５の下端はシールパネル２５の上端に連接している。妻壁パネル４２，４４は、胴部パネル２２，２４の上端に妻壁パネル４２，４４側の横折線４０Ｂを介してそれぞれ連接している。切妻屋根パネル４１，４３は左右方向で互いに対向し、妻壁パネル４２，４４は前後方向で互いに対向している。切妻屋根パネル４１の側縁部４１Ａは、シールパネル４５に加熱により接合される。
【００２４】
切妻屋根パネル４１（第１切妻屋根パネル）には、水平方向に延びる谷折線４１Ｃと、水平方向に対して傾斜して延びる谷折線４１Ｄとが形成されている。切妻屋根パネル４１は、谷折線４１Ｃの上方に位置するトップ部４１Ｂを備える。
【００２５】
切妻屋根パネル４３（第２切妻屋根パネル）には、水平方向に延びる谷折線４３Ｃと、水平方向に対して傾斜して延びる谷折線４３Ｄとが形成されている。切妻屋根パネル４３は、谷折線４３Ｃの上方に位置するトップ部４３Ｂを備える。
【００２６】
妻壁パネル４２（第１妻壁パネル）には、水平方向に延びる山折線４２Ｃと、水平方向に対して傾斜した一対の谷折線４２Ｅとが形成されている。妻壁パネル４２は、山折線４２Ｃの上方に位置し、かつ切妻屋根パネル４１側に位置するトップ部４２Ａと、トップ部４２Ａに隣接するとともに、山折線４２Ｃの上方に位置し、かつ切妻屋根パネル４３側に位置するトップ部４２Ｂとを備える。
【００２７】
妻壁パネル４４（第２妻壁パネル）には、水平方向に延びる山折線４４Ｃと、水平方向に対して傾斜した一対の谷折線４４Ｅとが形成されている。妻壁パネル４４は、山折線４４Ｃの上方に位置し、かつ切妻屋根パネル４３側に位置するトップ部４４Ａと、トップ部４４Ａに隣接するとともに、山折線４４Ｃの上方に位置し、かつ筒状胴部２が角筒状に形成された際に隣接する切妻屋根パネル４１側のトップ部４４Ｂとを備える。
【００２８】
筒状胴部２が角筒状に形成された状態において、妻壁パネル４２，４４は、谷折線４２Ｅ，４４Ｅで谷折りされながら横折線４０Ｂにより内向きに折り曲げられて、切妻屋根パネル４１，４３の間に折り込まれる。切妻屋根パネル４１，４３は、妻壁パネル４２，４４の折り込みに連動して横折線４０Ａにより内向きに折り曲げられる。そして、切妻屋根パネル４１，４３を谷折線４１Ｃ，４３Ｃに沿ってそれぞれ谷折りし、かつ妻壁パネル４２，４４を山折線４２Ｃ，４４Ｃに沿ってそれぞれ山折りし、トップ部４１Ｂ，４３Ｂの間にトップ部４２Ａ，４２Ｂ、４４Ａ，４４Ｂを介在させる。この際、トップ部４２Ａ，４４Ｂはトップ部４１Ｂの内側に接触し、トップ部４２Ｂ，４４Ａはトップ部４３Ｂの内側に接触する。そして、これらのトップ部４１Ｂ，４２Ａ，４２Ｂ，４３Ｂ，４４Ａ，４４Ｂを加熱により接合させることでトップシール４６を形成する。トップシール４６は、その開封部４Ａに剥離ニスがコートされて接合強度が非開封部４Ｂよりも弱くなっている。
【００２９】
横折線４０Ａは、前後方向に延び、切妻屋根パネル４１および胴部パネル２１の境界と切妻屋根パネル４３および胴部パネル２３の境界とにそれぞれ設けられている。横折線４０Ｂは、前後方向に延び、妻壁パネル４２および胴部パネル２２の境界と妻壁パネル４４および胴部パネル２４の境界とにそれぞれ設けられている。
【００３０】
横折線４０Ａは、前方側の横折本線４０１と、後方側の補助線４０２とによって構成される。横折本線４０１は、前方から後方に向かって水平方向に対して下方に傾斜して延び、かつ上に向かって凹状に形成された湾曲線でそれぞれ構成される。このように横折線４０Ａが傾斜しているため、開封部４Ａ側と非開封部４Ｂ側とは非対称となる。
【００３１】
補助線４０２は、横折本線４０１の後方の端部に連続して水平方向に沿って延びた直線状の罫線で構成される。補助線４０２は、横折本線４０１よりも短く、シールパネル２５，４５の前後方向における幅Ｗ以上の長さＬを有している。シールパネル２５の幅Ｗと補助線の長さＬとの比は、本実施形態では、１：１．２である。
【００３２】
このように構成されたゲーブルトップ型容器１では、トップシール４６の開封部４Ａ側のシールが剥がされ、妻壁パネル４２が前方に折り返されることで、開封部４Ａが開封され、開封部４Ａに注ぎ口が形成される。これにより、内部の飲料液体を注ぐことが可能な状態になる。
【００３３】
以上のような本実施形態によれば、次のような効果が得られる。
（１）ゲーブルトップ型容器１によれば、横折本線４０１が水平方向に対して傾斜して延びているため、開封部４Ａ側と非開封部４Ｂ側とが非対称となり、開封部４Ａの視認性に優れる。その上、略水平な直線状の補助線４０２が設けられているので、製函において妻壁パネル４２,４４が切妻屋根パネル４１,４３の間に折り込まれる際、妻壁パネル４２,４４の折り込みに連動して切妻屋根パネル４１,４３を、皺等を生じさせずに補助線４０２に沿って無理なく折り曲げることができ、製函時の成型性を損なうことがない。
（２）補助線４０２が罫線であるため、製函時に切妻屋根パネル４１,４３を補助線４０２に沿って更に良好に折り曲げることができる。
（３）切妻屋根パネル４１,４３は、横折本線４０１が後方に向かって下方に傾斜しているので、前方側縁よりも後方側縁の方が長く形成される。これにより、切妻屋根パネル４１，４３の後方側での折り曲げ角度をその前方側よりも小さくでき、より負担の小さい折り曲げを実現できる。また、開封して注ぎ口を形成した場合に、外観上、横折本線４０１と注ぎ口を形成するために折り返された谷折線４２Ｅとを連続させた形状にでき、注ぎ易いイメージを付与できる。
（４）補助線４０２をシールパネル２５の幅Ｗ以上の長さＬをもって形成しておくことで、切妻屋根パネル４１,４３をこの補助線４０２に沿って無理なく折り曲げることができる。
（５）補助線４０２が横折線４０の四つの端部のうち少なくとも非開封部４Ｂ側の二つの端部にそれぞれ設けられているため、製函において妻壁パネル４２，４４が切妻屋根パネル４１，４３の間にそれぞれ折り込まれる際、妻壁パネル４２，４４の折り込みに連動して一対の切妻屋根パネル４１，４３を、皺等を生じさせずに補助線に沿ってそれぞれ無理なく折り曲げることができる。
【００３４】
なお、本発明は前述した実施形態に限定されるものではなく、本発明の目的を達成できる範囲での変形、改良等は本発明に含まれるものである。
例えば、前記実施形態では、補助線４０２は水平方向に沿って延びているが、これに限定されず、横折本線４０１の後方の端部に連続している部分を屈曲点とし、当該横折本線４０１の傾斜よりも水平方向に対して小さな傾斜をもって延びて形成されていてもよい。
【００３５】
前記実施形態では、補助線４０２は、罫線によって構成されているが、これに限定されず、ハーフカット（切り込み）により形成されていてもよい。このような補助線４０２を備えていても、前述同様の作用効果を発揮できる。
【００３６】
前記実施形態では、横折本線４０１は、上に向かって凹状の曲線で構成されているが、これに限定されず、例えば、上に向かって凸状の曲線で構成されていてもよく、また、直線で構成されていてもよい。
【００３７】
前記実施形態では、横折本線４０１は、前方から後方に向かって水平方向に対して下方に傾斜して延びているが、これに限定されず、例えば、前方から後方に向かって水平方向に対して上方に傾斜して延びていてもよい。
【００３８】
前記実施形態では、シールパネル２５，４５が互いに同じ幅Ｗをもって形成されているが、これに限定されず、例えば図４に示すように、シールパネル２５，４５の補助線４０２と重ねられる部分の幅Ｗ１が他の部分の幅Ｗよりも所定長さにわたって狭く形成されていてもよい。この場合、補助線４０２の長さＬは、幅Ｗよりも長くする必要はなく、幅Ｗ１に対して同等以上であればよい。好ましくは、幅Ｗ１と長さＬとの比は１：１．２〜１：１．３である。このような構成によれば、シールパネル２５，４５全体を十分な幅Ｗをもって形成できる一方、補助線４０２に沿って折り曲げられる部分の幅Ｗ１が狭く形成されることで当該部分を無理なく折り曲げられる。
【００３９】
前記実施形態では、トップシール４６の縦方向における接合幅は、開封部４Ａ側と非開封部４Ｂ側とで等しくなっていてもよく、また、非開封部４Ｂ側よりも開封部４Ａ側が狭くなっていてもよい。
【実施例】
【００４０】
以下、実施例および比較例を挙げて本発明をさらに詳しく説明する。なお、本発明はこれらの実施例等に何ら限定されるものではない。
【００４１】
［実施例１］
実施例１に係るゲーブルトップ型容器１Ａは、図３に示すように、ゲーブルトップ型容器１と同じ構成である。ゲーブルトップ型容器１Ａは、開封部４Ａ側と非開封部４Ｂ側とが非対称に形成され、直線状の補助線４０２の長さＬは１５ｍｍであり、シールパネル２５，４５の幅Ｗは１３ｍｍである。
【００４２】
［実施例２］
実施例２に係るゲーブルトップ型容器１Ｂは、基本構成がゲーブルトップ型容器１の基本構成と同じである。ただし、補助線４０２は、罫線ではなく、直線状のハーフカットにより形成されている。ゲーブルトップ型容器１Ｂは、開封部４Ａ側と非開封部４Ｂ側とが非対称に形成され、直線状の補助線４０２の長さＬは１５ｍｍであり、シールパネル２５，４５の幅Ｗは１３ｍｍである。
【００４３】
［実施例３］
実施例３に係るゲーブルトップ型容器１Ｃは、図４に示すように、基本構成がゲーブルトップ型容器１の基本構成と同じである。ただし、シールパネル２５，４５の補助線４０２と重ねられる部分の幅Ｗ１はその全体の幅Ｗ（１３ｍｍ）に対して所定長さにわたって狭く形成されている。ゲーブルトップ型容器１Ｃは、開封部４Ａ側と非開封部４Ｂ側とが非対称に形成され、直線状の補助線４０２の長さＬは１５ｍｍである。
【００４４】
［実施例４］
実施例４に係るゲーブルトップ型容器１Ｄは、図５に示すように、基本構成がゲーブルトップ型容器１の基本構成と同じである。ただし、補助線４０２の長さＬは、シールパネル２５，４５の幅Ｗよりも短い。つまり、補助線４０２の長さＬは８ｍｍであり、シールパネル２５，４５の幅Ｗは１５ｍｍである。ゲーブルトップ型容器１Ｄは、開封部４Ａ側と非開封部４Ｂ側とが非対称に形成されている。
【００４５】
［実施例５］
実施例５に係るゲーブルトップ型容器１Ｅは、基本構成がゲーブルトップ型容器１の基本構成と同じである。ただし、補助線４０２は、罫線ではなく、直線状のハーフカットにより形成されている。補助線４０２の長さＬは、シールパネル２５，４５の幅Ｗよりも短い。つまり、補助線４０２の長さＬは８ｍｍであり、シールパネル２５，４５の幅Ｗは１５ｍｍである。ゲーブルトップ型容器１Ｅは、開封部４Ａ側と非開封部４Ｂ側とが非対称に形成されている。
【００４６】
［比較例１］
比較例１に係るゲーブルトップ型容器１Ｆは、図６に示すように、筒状胴部２と、切妻屋根４とを備え、開封部４Ａ側と非開封部４Ｂ側とが非対称に形成されている。このゲーブルトップ型容器１Ｆの横折線４０Ａは、前記実施形態で説明した補助線４０２を備えておらず、開封部４Ａから非開封部４Ｂまで連続して傾斜した曲線状の罫線で構成されている。
【００４７】
［比較例２］
比較例２に係るゲーブルトップ型容器１Ｇは、図７に示すように、筒状胴部２と、切妻屋根４とを備え、開封部４Ａ側と非開封部４Ｂ側とが対称に形成されている。このゲーブルトップ型容器１Ｆの横折線４０Ａは、水平方向に延びて形成されている。
【００４８】
［評価方法］
前述した実施例１〜５および比較例１，２について、視認性、製函性を次の評価方法により比較、評価した。
（１）視認性の評価
各パネルに無地のミルクボード（Weyerhaeuser製）を用いて実施例１〜５および比較例１，２を組み上げた。そして、これらの開封部４Ａと非開封部４Ｂとの視認性について評価した。開封部４Ａと非開封部４Ｂとを目視により良好に見分けられた場合を「◎」とし、開封部４Ａと非開封部４Ｂとを目視により見分けられた場合を「○」とし、開封部４Ａと非開封部４Ｂとを目視により見分けられなかった場合を「△」とした。結果を表１に示す。
（２）製函性の評価
各パネルに無地のミルクボード（Weyerhaeuser製）を用いて実施例１〜５および比較例１，２を組み上げた。そして、これらの筒状胴部２と切妻屋根４との角部の製函状態を評価した。角部に皺がなく良好な状態であった場合を「◎」とし、角部に皺がなかった場合を「○」とし、角部に皺があった場合を「△」とした。結果を表１に示す。
【００４９】
【表１】
2015074450.tif 000003
【００５０】
［評価結果］
表１の結果より、視認性に関しては、実施例１〜５および比較例１では良好に見分けられた一方、比較例２では見分けられなかった。
これは、ゲーブルトップ型容器１Ａ〜１Ｆが開封部４Ａ側と非開封部４Ｂ側とで非対称に形成されている一方、ゲーブルトップ型容器１Ｇが開封部４Ａ側と非開封部４Ｂ側とで対称に形成されているためである。
【００５１】
表１の結果より、製函性に関しては、実施例１〜３および比較例２では皺が発見されず良好な状態であり、実施例４，５では皺が発見されず、比較例１では皺が発見された。
実施例１〜３では皺が発見されず良好な状態であったのは、ゲーブルトップ型容器１Ａ〜１Ｃがシールパネル２５，４５の幅Ｗ以上の長さＬの補助線４０２を備えているためである。比較例１で皺が発見されず良好な状態であったのは、ゲーブルトップ型容器１Ｇが水平方向と平行に延びた横折線４０Ａを備えているためである。
実施例４，５では皺が発見されなかったのは、ゲーブルトップ型容器１Ｄ，１Ｅが補助線４０２を備えているためである。しかし、実施例４，５では良好といえる状態にまでならなかったのは、ゲーブルトップ型容器１Ｄ，１Ｅの補助線４０２の長さＬが、シールパネル２５，４５の幅Ｗよりも短かったためである。
比較例１で皺が発見されたのは、ゲーブルトップ型容器１Ｆが補助線４０２を備えておらず、水平方向に対して傾斜した横折線４０Ａだけを備えているためである。
表１の結果より、実施例１〜３は視認性および製函性に優れ、実施例４，５は視認性に優れ、皺が発見されない程度の製函性を発揮できることが分かる。また、比較例１は視認性に優れるが、製函性に劣り、比較例２では製函性に優れるが、視認性に劣ることが分かる。
【産業上の利用可能性】
【００５２】
本発明は、牛乳やジュース等の飲料液体が収容される筒状胴部と、開封部４Ａと非開封部４Ｂとを有する切妻屋根とを備えた様々なゲーブルトップ型容器やこれを構成するゲーブルトップ型容器用パネルに利用できる。
【符号の説明】
【００５３】
１，１Ａ〜１Ｇ…ゲーブルトップ型容器、２…筒状胴部、２１〜２４…胴部パネル、２５，３５，４５…シールパネル、３…底部、３１〜３４…底部パネル、４…切妻屋根、４０，４０Ａ，４０Ｂ…横折線、４０１…横折本線、４０２…補助線、４１，４３…切妻屋根パネル、４２，４４…妻壁パネル、４６…トップシール。
【図１】
2015074450.tif 000004
【図２】
2015074450.tif 000005
【図３】
2015074450.tif 000006
【図４】
2015074450.tif 000007
【図５】
2015074450.tif 000008
【図６】
2015074450.tif 000009
【図７】
2015074450.tif 000010